(57)【特許請求の範囲】
【請求項１】
扉外面の自由側端縁付近に装着され、鍵孔が開口するシリンダ錠の端面を露呈させた電気錠の基板と、このシリンダ錠の端面を覆うように装着される蓋板と、基板及び蓋板の何れか一方に設けられた一対の案内溝と、他方に設けられ、案内溝と摺動可能に係合する一対のスライドピンと、上記案内溝中に延在し、弾性的に支持された一対の突条とを有し、上記案内溝を、蓋板が基板から離間した状態で上下動できるようにスライドピンを案内する第一案内溝と、この第一案内溝の一端において蓋板が正規の装着位置に定座するようにスライドピンを案内する第二案内溝とを連設した略Ｌ字状に形成し、一対の案内溝及び突条を基板及び蓋板の何れか一方に、一対のスライドピンを他方に夫々設けると共に、スライドピンを設けた側に、蓋板が正規の装着位置に定座した状態において突条と係合する係止凹条を形成したことを特徴とする電気錠のスライドカバー。
【発明の詳細な説明】
【０００１】
【発明の属する技術分野】
この発明は、電気錠のスライドカバー（以下単にスライドカバーという）に係り、特に、電気錠に内蔵されたシリンダ錠の端面を覆う、操作性に優れたスライドカバーに関する。
【０００２】
【従来の技術】
電気錠は、シリンダ錠と同様に、通常扉外面の自由側端縁付近に装着されており、例えば図１に示す電気錠の操作釦１を押動してテンキー装置を覆う跳ね蓋２を跳ね上げ、テンキー装置（図示しない）を露呈させる。
【０００３】
そして、テンキー装置を操作して暗証番号を入力し、この入力された暗証番号が予め登録された暗証番号と一致したときに表示される解錠信号に応じてハンドル３を操作して施解錠する。
【０００４】
ところで、商用電源を用いる電気錠においては停電の際、或いは電池を用いる電気錠においては電池消耗の際、夫々電気錠が作動しなくなるから締め出されることになる。
【０００５】
そこで、かかる非常事態に備えて通常電気錠にはシリンダ錠が内蔵されており、合鍵を用いてこのシリンダ錠を操作することにより電気錠を施解錠する。
【０００６】
このシリンダ錠は通常は蓋板４で覆われており、非常時にはこれを跳ね蓋２とは反対方向、図１では下方、にスライドさせて鍵孔を開口させたシリンダ錠の端面を露呈させる。
【０００７】
【発明が解決しようとする課題】
上記蓋板４は、通常、例えば断面コ字形に成形された蓋板４の開口端縁を内側に折り曲げ、その折曲げ部を電気錠の基板側端縁に形成したガイド溝に係合させることにより上下動可能に案内されているので、寸法の都合上ナローガイド（ｎａｒｒｏｗ  ｇｕｉｄｅ）にできない蓋板４はそのスライド操作が円滑ではない。
【０００８】
加えて、蓋板は常態では安定してシリンダ錠を覆う必要があるので、そのスライドの案内は所謂渋くせざるを得ず、非常時におけるスライド操作が益々やり難くなる、という不都合がある。
【０００９】
そこで、この発明は、非常時におけるスライド操作が円滑で、しかも常態において安定してシリンダ錠を覆うことができるスライドカバーを提供することを目的としている。
【００１０】
【課題を解決するための手段】
上記の目的を達成するため、この発明によるスライドカバーは、扉外面の自由側端縁付近に装着され、鍵孔が開口するシリンダ錠の端面を露呈させた電気錠の基板と、このシリンダ錠の端面を覆うように装着される蓋板と、基板及び蓋板の何れか一方に設けられた一対の案内溝と、他方に設けられ、案内溝と摺動可能に係合する一対のスライドピンと、上記案内溝中に延在し、弾性的に支持された一対の突条とを有し、上記案内溝を、蓋板が基板から離間した状態で上下動できるようにスライドピンを案内する第一案内溝と、この第一案内溝の一端において蓋板が正規の装着位置に定座するようにスライドピンを案内する第二案内溝とを連設した略Ｌ字状に形成し、一対の案内溝及び突条を基板及び蓋板の何れか一方に、一対のスライドピンを他方に夫々設けると共に、スライドピンを設けた側に、蓋板が正規の装着位置に定座した状態において突条と係合する係止凹条を形成したことを特徴とする。
【００１１】
【発明の実施の形態】
以下、図２乃至図１０に示す実施例に基いてこの発明について説明する。
図３において符号５は基板を示し、この基板５は扉外面の自由側端縁付近に装着されることは従来の電気錠と同様である。
【００１２】
この基板の上部にはテンキー装置６が装着され、このテンキー装置６は、図２及び図３に示すように、電気錠の施解錠操作時以外の常態では跳ね蓋２で覆われていることは前記した通りである。
【００１３】
この跳ね蓋２は跳ね蓋ばね７の弾力により図３で反時計方向に回動する方向に付勢されているが、常態では操作釦１により係止され、図３に示す角度位置を保っている。
【００１４】
一方、図３に示すように、基板５のほぼ中央には非常用のシリンダ錠８が鍵孔を開口させたその端面を外方（図３で右方）に向けた状態で装着され、常態においてはこのシリンダ錠８は蓋板４により覆われている。
【００１５】
この蓋板４は、図２、及び図５乃至図７に示すように、上面が操作釦１を嵌め込む切欠を形成した凹字形で、両側に側板を一体に形成した枠体である。
【００１６】
そして、この蓋板４の下方における上面板の内側（図５で左方）には、全体の形状が略Ｌ字形の連結板９の一対が、相互にほぼ平行な関係位置を保って一体に突設されている。
【００１７】
この連結板９の下方の部分は更に扉方向に向かって延伸し、この延伸部分の相互に対向する面には夫々薄いスライドピン１１が突設されている。
【００１８】
他方、基板５の前記シリンダ錠８の付近には、図３に示すように、一対の案内溝１２、１２が形成されている。
【００１９】
図示の実施例における案内溝１２は、図４乃至図６に示すように、断面コ字形に折曲された板材よりなる案内枠の両側板に開口し、相互に対称的に配置された一対のＬ字形の切欠として形成されている。
【００２０】
そして、この案内溝１２は、扉面にほぼ平行で長い第一案内溝１２ａ（図５参照）と、この第一案内溝１２ａの下端において扉方向に屈曲した第二案内溝１２ｂとを連設した略Ｌ字形である。
【００２１】
この案内溝１２の幅は、スライドピン１１の外径より若干大きめに設定されており、したがってスライドピン１１は案内溝１２中を摺動できる。
【００２２】
上記案内溝１２の少なくとも第一案内溝１２ａ内には、これに沿って突条１４が延在しており、この突条１４は弾性的に支持されている。
【００２３】
図示の実施例では、上記案内枠１３と同様に断面コ字形に折曲された薄いばね板材よりなるばね枠１５が案内枠１３と重合した状態で基板５にねじ止めされ、その両側板の自由端縁を断面外側に凸の半円形になるように折曲することにより突条１４、１４が形成されている。
【００２４】
上記したように突条１４はばね板材の自由端に形成され、弾性的に支持されているから、夫々図４及び図６で内側に移動することができる。
【００２５】
なお、図６に示すように、スライドピン１１を形成した連結板９の延伸部分の間隔を案内枠１３の幅（図６の左右方向の寸法）とほぼ同じに設定するものとする。
【００２６】
また、図４に示すように、シリンダ錠８との干渉を避けるため、案内枠１３及びばね枠１５の基板５と接合する部分の一部はＵ字形に切り欠かれている。また、図４及び図６において符号１６は前記操作釦１の支持部である。
【００２７】
上記した構成の蓋板４を基板５に装着するには、図５に示すように、スライドピン１１、１１を夫々対応する第二案内溝１２ａに整合させて前者を後者に押込む。
【００２８】
上記したように、スライドピン１１、１１の間隔は案内枠１３の幅より小さいから、当然スライドピン１１は案内枠１３と干渉する。
【００２９】
図示の実施例では、これらスライドピン１１と案内枠１３との干渉を積極的に利用して連結板９を弾性変形させ、スライドピン１１をパチンと案内溝１２に嵌め込むため、図７に示すように、連結板９の根元の部分の内面の肉を盗んで弾性変形し易くすると共に、連結板の延伸部分の先端、及びスライドピンの一部を斜めに削いである。
【００３０】
その為、スライドピン１１を案内溝１２に押込むとき、上記斜めに削いだ部分と案内枠の端縁との間に生じる楔作用により一対の連結板９、９は拡開し、スライドピン１１は案内枠１３の端縁を乗り越えて案内溝１２中に嵌まり込み、以降安定に案内溝１２中に保持される。
【００３１】
また、上記したように連結板９の肉を盗むことにより、一対の連結板９、９の内側に上下方向に延伸する係止凹条１６（図５及び図７参照）が形成される。
【００３２】
スライドピン１１の斜めに削いだ部分は図７の下端部分のみであるから、スライドピン１１が案内溝１２と係合した後は、前者を後者から外れることはない。
【００３３】
そして、蓋板４を正規の装着位置に定座させたとき、図８に示すように、案内溝１２中の突条１４が夫々対応する連結板９の係止凹条１７に弾接するから、これらの形状係合により蓋板４は安定に電気錠に装着される。
【００３４】
停電等シリンダ錠８を施解錠させる必要が生じたときには、蓋板４を両側から掴むようにして手前に引張る。
【００３５】
すると、係止凹条１７と突条１４との間に生じる楔作用により、弾性的に支持された突条１４が内側に、換言すれば係止凹条１７との係合が外れる方向に弾性変形し、これらの係合が解ける。
【００３６】
その状態で蓋板４を手前に引くと、スライドピン１１が第二案内溝１２ｂ中を扉面から離間する方向に摺動し、図９に示すように、蓋板４は基板５から浮く。
【００３７】
次いで蓋板４を上方に移動させると、スライドピン１１は第一案内溝１２ａ中を上方に摺動し、図１０に示すように、シリンダ錠の端面が露呈される。
【００３８】
なお、スライドピン１１が第一案内溝１２ａ中に在るとき、蓋板４はスライドピン１１回りの回動が可能であるが、それはそれで蓋板４の上昇には差し支えない。
【００３９】
また、スライドピン１１が第一案内溝１２ａ中を摺動するとき、突条１４がスライドピン１１に弾接し、これらの間に摩擦抵抗が生じるので、蓋板４から手を放しても蓋板４がストンと落ちることはない。
【００４０】
シリンダ錠８の操作後上記したとは反対方向に蓋板４を動かせば、図８に示すように蓋板４は正規の装着位置まで円滑に移動して定座する。
【００４１】
なお、図示の実施例では、一対の突条１４、１４を内側に弾性変形可能に配置し、これらにスライドピン１１、１１を外側から係合させるように設計したが、スライドピン１１を内側から突条に係合させても同じ作用効果を得ることができる。
【００４２】
また、図示の実施例では、案内溝１２及び突条１４を基板５側に、スライドピン１１及び係止凹条１７を蓋板４側に、夫々設けるものとしたが、これは相互に反対にしても同じ作用効果を得ることができる。
【００４３】
【発明の効果】
以上の説明から明らかなように、本発明は、蓋板と基板との相対移動の案内を、前者を後者から離間した状態でスライドピンと案内溝との摺動により行うようにしたから、蓋板の移動が非常に円滑である。
【００４４】
また、蓋板が正規の装着位置に在るとき突条と係止凹条との係合により蓋板を係止するようにしたから、蓋板の常態における装着を安定にすることができる、等種々の効果を奏する。
【図面の簡単な説明】
【図１】従来の電気錠を示す線図的正面図。
【図２】この発明によるスライドカバーを装着した電気錠の要部正面図。
【図３】この発明によるスライドカバーを装着した電気錠の要部を示す縦断面図で、蓋板の正規の装着状態を示す。
【図４】案内枠の正面図。
【図５】図４のＶ−Ｖ線による案内枠の一部断面側面図。
【図６】図５の矢印Ｂ方向から見た案内枠の下面図。
【図７】図５の矢印Ａ方向から見た蓋板の拡大一部平面図。
【図８】この発明によるスライドカバーを装着した電気錠の図２におけるＶＩＩＩ−ＶＩＩＩ線による横断面図。
【図９】この発明によるスライドカバーを装着した電気錠の要部を示す縦断面図で、蓋板を引出した状態を示す。
【図１０】この発明によるスライドカバーを装着した電気錠の要部を示す縦断面図で、蓋板を引出して上昇させた状態を示す。
【符号の説明】
４  蓋板
５  基板
８  シリンダ錠
９  連結板
１１  スライドピン
１２  案内溝
１２ａ  第一案内溝
１２ｂ  第二案内溝
１３  案内枠
１４  突条
１５  ばね枠
１７  係止凹条
【図１】
0004067628.tif 000002
【図２】
0004067628.tif 000003
【図３】
0004067628.tif 000004
【図４】
0004067628.tif 000005
【図５】
0004067628.tif 000006
【図６】
0004067628.tif 000007
【図７】
0004067628.tif 000008
【図８】
0004067628.tif 000009
【図９】
0004067628.tif 000010
【図１０】
0004067628.tif 000011